(57)【特許請求の範囲】
【請求項１】
第１の管理終端ポイント及び第２の管理終端ポイントを備える光ネットワークユニット（ONU）であって、前記ONUは更に、
前記第１の管理終端ポイントを介して、アグリゲーション側スイッチ装置に接続された第１のリンク上でモニタリングパケットを送信して、前記第１のリンクをモニタリングするように構成されるモニタリングユニットであって、前記第１のリンクは、前記ONUと第１の光回線端末（OLT）との間の第１のサブリンクと、前記第１のOLTと前記アグリゲーション側スイッチ装置との間の第２のサブリンクとを含み、前記第１の管理終端ポイントは前記第１のリンクに対応するポートである、モニタリングユニットと、
前記第１のリンク上にリンク障害が発生したと検出された場合に、前記第１のリンクの前記第１のサブリンクから第２のリンクの第１のサブリンクへの切換えを行うように構成されるスイッチユニットであって、前記第２のリンクは、前記第１のリンク以外の、前記ONUと前記アグリゲーション側スイッチ装置との間のリンクであり、前記第２のリンクの前記第１のサブリンクは、前記ONUと第２のOLTとの間のリンクである、スイッチユニットと、
前記第２のOLTに通知メッセージを送信するように構成される送信ユニットであって、前記通知メッセージは、前記第２のOLTが伝送ポートを有効化できるように、前記第２のOLTにリンク切換えの発生及び前記切換えの原因を通知するために用いられる、送信ユニットと、
を備え、
前記送信ユニットは更に、前記第２の管理終端ポイントを介して前記第２のリンク上で、前記アグリゲーション側スイッチ装置に自動保護スイッチメッセージを送信するように構成され、前記自動保護スイッチメッセージは、前記自動保護スイッチメッセージの受信後に前記アグリゲーション側スイッチ装置が前記第１のリンクの前記第２のサブリンクから前記第２のリンクの第２のサブリンクへの切換えを実行できるように、前記アグリゲーション側スイッチ装置に前記リンク切換えの前記発生を通知するために用いられ、前記第２のリンクの前記第２のサブリンクは、前記アグリゲーション側スイッチ装置と前記第２のOLTとの間のリンクであり、前記第２の管理終端ポイントは、前記第２のリンクに対応するポートである、
ONU。
【請求項２】
前記第１のリンク上で発生している前記リンク障害は、前記第１のリンクの前記第１のサブリンク上の障害、前記第１のリンクの前記第２のサブリンクのダウンリンク方向の障害、又は前記第１のリンクの前記第２のサブリンクのアップリンク方向の障害であり、
前記第１のリンクの前記第２のサブリンクの前記ダウンリンク方向は、前記アグリゲーション側スイッチ装置から前記第１のOLTにサービスデータが送信される方向であり、前記第１のリンクの前記第２のサブリンクの前記アップリンク方向は、前記第１のOLTから前記アグリゲーション側スイッチ装置に前記サービスデータが送信される方向である、
請求項１に記載のONU。
【請求項３】
前記ONUは更に管理ユニットを備え、
前記第１のリンク上で発生している前記リンク障害が、前記第１のリンクの前記第１のサブリンクの前記障害であるか、又は前記第１のリンクの前記第２のサブリンクの前記ダウンリンク方向の前記障害である場合、前記管理ユニットは更に、
前記第１のリンク上で発生している前記リンク障害が前記第１のリンクの前記第１のサブリンクの前記障害であるか、又は前記第１のリンクの前記第２のサブリンクの前記ダウンリンク方向の前記障害であるという情報を、前記モニタリングパケットから取得するように構成される、
請求項２に記載のONU。
【請求項４】
前記第１のリンク上で発生している前記リンク障害が前記第１のリンクの前記第１のサブリンクの前記障害である場合、前記通知メッセージは物理層運用保守管理メッセージ（PLOAM）である、
請求項２に記載のONU。
【請求項５】
前記第１のリンク上で発生している前記リンク障害が前記第１のリンクの前記第２のサブリンクの前記ダウンリンク方向の前記障害である場合、前記通知メッセージはPONセクショントレースメッセージであり、
前記送信ユニットは更に、前記サービスデータの伝送の前記第２のリンクの前記第１のサブリンクへの切換えが成功した後、前記第１のOLTに属性値変化通知を送信するように構成され、前記属性値変化通知は、前記第１のOLTに前記リンク切換えの前記発生と前記切換えの前記原因とを通知するために用いられる、
請求項２に記載のONU。
【請求項６】
前記リンク障害が前記第１のリンクの前記第２のサブリンクの前記アップリンク方向の前記障害である場合、前記通知メッセージはPONセクショントレースメッセージであり、
前記ONUは更に受信ユニットを備え、
前記モニタリングユニットが前記モニタリングパケットから前記第１のリンク上の前記リンク障害についての情報を取得する前に、前記受信ユニットは、
前記ONUが、前記自動保護スイッチメッセージを受信した後に、前記モニタリングパケットから前記第１のリンク上の前記リンク障害についての前記情報を取得できるように、前記アグリゲーション側スイッチ装置によって送信された前記自動保護スイッチメッセージを受信するように構成される、
請求項２に記載のONU。
【請求項７】
アグリゲーション側スイッチ装置であって、
第１の管理終端ポイントを介して、光ネットワークユニット（ONU）に接続された第１のリンク上でモニタリングパケットを送信して、前記第１のリンクをモニタリングするように構成されるモニタリングユニットであって、前記第１のリンクは、前記ONUと第１の光回線端末（OLT）との間の第１のサブリンクと、前記第１のOLTと前記アグリゲーション側スイッチ装置との間の第２のサブリンクとを含む、モニタリングユニットと、
前記ONUにより第２の管理終端ポイントを介して第２のリンク上で送信された自動保護スイッチメッセージを受信するように構成される受信ユニットであって、前記自動保護スイッチメッセージは、前記アグリゲーション側スイッチ装置にリンク切換えの発生を通知するために用いられる、受信ユニットと、
前記自動保護スイッチメッセージが受信された後に、前記第１のリンクの前記第２のサブリンクから前記第２のリンクの第２のサブリンクへの切換えを実行するように構成されるスイッチユニットであって、前記第２のリンクの前記第２のサブリンクは、前記アグリゲーション側スイッチ装置と第２のOLTとの間のリンクである、スイッチユニットと、
を備える、アグリゲーション側スイッチ装置。
【請求項８】
前記第１のリンク上で発生するリンク障害は、前記第１のリンクの前記第１のサブリンク上の障害、前記第１のリンクの前記第２のサブリンクのダウンリンク方向の障害、又は前記第１のリンクの前記第２のサブリンクのアップリンク方向の障害であり、
前記第１のリンクの前記第２のサブリンクの前記ダウンリンク方向は、前記アグリゲーション側スイッチ装置から前記第１のOLTにサービスデータが送信される方向であり、前記第１のリンクの前記第２のサブリンクの前記アップリンク方向は、前記第１のOLTから前記アグリゲーション側スイッチ装置に前記サービスデータが送信される方向である、
請求項７に記載のアグリゲーション側スイッチ装置。
【請求項９】
前記第１のリンク上で発生している前記リンク障害が前記第１のリンクの前記第２のサブリンクの前記ダウンリンク方向の前記障害である場合、
前記モニタリングユニットは更に、前記第１のリンク上で発生している前記リンク障害が前記第１のリンクの前記第２のサブリンクの前記ダウンリンク方向の前記障害であるという情報を、前記モニタリングパケットから取得するように構成され、
前記スイッチユニットは更に、前記第２のリンクの前記第２のサブリンクと前記第１のリンクの前記第２のサブリンクとの間で、前記サービスデータの伝送を所定の頻度で繰り返し切り換えるように構成され、前記スイッチユニットは、前記ONUが前記自動保護スイッチメッセージを受信した後に前記切換えを停止し、
前記アグリゲーション側スイッチ装置は更に送信ユニットを備え、
前記送信ユニットは、前記スイッチユニットが前記第２のリンクの前記第２のサブリンクと前記第１のリンクの前記第２のサブリンクとの間で前記サービスデータの伝送を切り換えた後、サービスデータが伝送されていない前記リンクを用いて前記ONUに前記自動保護スイッチメッセージを送信するように構成される、
請求項８に記載のアグリゲーション側スイッチ装置。
【請求項１０】
少なくとも２つの光回線端末（OLT）を備えるリンクスイッチシステムであって、更に、光ネットワークユニット（ONU）及びアグリゲーション側スイッチ装置を備え、前記ONUは、請求項１乃至６のいずれか一項に記載のONUである、リンクスイッチシステム。
【請求項１１】
リンクスイッチシステムに適用されるリンクの切換方法であって、
前記方法は、
光ネットワークユニット（ONU）が、第１の管理終端ポイントを介して、前記ONU及びアグリゲーション側スイッチ装置に接続された第１のリンク上でモニタリングパケットを送信して、前記第１のリンクをモニタリングするステップであって、前記第１のリンクは、前記ONUと第１の光回線端末（OLT）との間の第１のサブリンクと、前記第１のOLTと前記アグリゲーション側スイッチ装置との間の第２のサブリンクとを含み、前記第１の管理終端ポイントは前記第１のリンクに対応するポートである、ステップと、
前記第１のリンク上にリンク障害が発生したと検出された場合に、前記ONUが、前記第１のリンクの第１のサブリンクから第２のリンクの第１のサブリンクへの切換えを実行するステップと、
前記ONUが、第２の光回線端末（OLT）に通知メッセージを送信するステップであって、前記通知メッセージは、前記第２のOLTが伝送ポートを有効化できるように、前記第２のOLTにリンク切換えの発生及び前記切換えの原因を通知するために用いられる、ステップと、
前記ONUが、第２の管理終端ポイントを介して前記第２のリンク上で、前記アグリゲーション側スイッチ装置に自動保護スイッチメッセージを送信するステップであって、前記自動保護スイッチメッセージは、前記自動保護スイッチメッセージの受信後に前記アグリゲーション側スイッチ装置が前記第１のリンクの第２のサブリンクから前記第２のリンクの第２のサブリンクへの切換えを実行できるように、前記アグリゲーション側スイッチ装置に前記リンク切換えの前記発生を通知するために用いられる、ステップと、
を含む方法。
【請求項１２】
前記第１のリンク上で発生している前記リンク障害は、前記第１のリンクの前記第１のサブリンク上の障害であり、前記第１のリンクの前記第１のサブリンクの前記障害は前記ONUによって検出されるリンク障害であり、又は、
前記第１のリンク上で発生している前記リンク障害は、前記第１のリンクの前記第２のサブリンクのダウンリンク方向の障害であり、前記ダウンリンク方向は、前記アグリゲーション側スイッチ装置から前記第１のOLTにサービスデータが送信される方向であり、前記第１のリンクの前記第２のサブリンクの前記ダウンリンク方向の前記障害は、前記ONUによって検出されるリンク障害であり、又は、
前記第１のリンク上で発生している前記リンク障害は、前記第１のリンクの前記第２のサブリンクのアップリンク方向の障害であり、前記アップリンク方向は、前記第１のOLTから前記アグリゲーション側スイッチ装置に前記サービスデータが送信される方向であり、前記第１のリンクの前記第２のサブリンクの前記アップリンク方向の前記障害は、前記アグリゲーション側スイッチ装置によって検出されたリンク障害である、
請求項１１に記載の方法。
【請求項１３】
前記リンク障害が前記第１のリンクの前記第１のサブリンクの前記障害である場合、前記通知メッセージは物理層運用保守管理メッセージ（PLOAM）である、
請求項１２に記載の方法。
【請求項１４】
前記リンク障害が前記第１のリンクの前記第２のサブリンクの前記ダウンリンク方向の前記障害である場合、前記通知メッセージはPONセクショントレースメッセージであり、前記サービスデータの伝送の前記第２のリンクの前記第１のサブリンクへの切換えが成功した後、前記方法は更に、
前記ONUが、前記第１のOLTに属性値変化通知を送信するステップであって、前記属性値変化通知は、前記第１のOLTに前記リンク切換えの前記発生と前記切換えの前記原因とを通知するために用いられる、ステップ、
を含む、請求項１２に記載の方法。
【請求項１５】
前記リンク障害が前記第１のリンクの前記第２のサブリンクの前記アップリンク方向の前記障害である場合、前記通知メッセージはPONセクショントレースメッセージであり、
前記ONUが検出データを用いて前記第１のリンク上の前記リンク障害についての情報を取得する前に、本方法は更に、
前記アグリゲーション側スイッチ装置が、前記リンク障害を検出した後、前記第２のリンクの前記第２のサブリンクと前記第１のリンクの前記第２のサブリンクとの間で、前記サービスデータの伝送を所定の頻度で繰り返し切り換えて、サービスデータが伝送されていない前記リンクを用いて前記ONUに前記自動保護スイッチメッセージを送信するステップと、
前記ONUが前記自動保護スイッチメッセージを受信した後に、前記アグリゲーション側スイッチ装置が、前記切換えを停止するステップと、
を含む、請求項１２に記載の方法。
【発明の詳細な説明】
【技術分野】
【０００１】
本発明は通信の分野に関し、特に、リンクの切換方法、装置及びシステムに関する。
【背景技術】
【０００２】
ネットワークデバイスノードのデュアルホーミング保護は、ネットワークノードが２つのリンク、すなわちアクティブリンクとスタンバイリンクを用いて、別のネットワーク領域内の２つの異なるネットワークデバイスに接続される、ネットワークデータバックアップ方法である。ネットワークの信頼性は、アクティブリンクとスタンバイリンクとの相互バックアップ保護によって改善される。従来技術では、一般に、延長線のTYPE  BとTYPE  C／TYPE  Dの保護技術を用いて、ノードのデュアルホーミング保護を実装する。
【０００３】
TYPE  Bでは、ネットワークデータのバックアップは、OLTのアクティブ及びスタンバイのPONポートと、アクティブ及びスタンバイの光ファイバを保護することによって実現される。TYPE  C／TYPE  Dでは、ネットワークデータのバックアップは、OLTの２つのPONポート、ONUの２つのPONポートを用いて、また、ファイバトランク、光スプリッタ及びディストリビュータファイバのデュアルリダンダンシーによって、実現される。TYPE  C／TYPE  Dの具体的な実施方式は、OLTの同じPONボード上の異なるPON  MACチップの保護と、PONボード間のPONポートの保護との、２つの種類がある。
【０００４】
更に、従来技術は、VALNベースのイーサネットリニアプロテクション切換機構、すなわち、G.8031を提供する。プロテクション切換機構は、APS（Automatic  Protection  Switching）プロトコルを用いて実現される。APSプロトコルは、G.8031に規定されたプロトコルであり、両端のデバイスのスイッチング結果は、双方向の保護スイッチングにおいて一致している。また、APSプロトコルパケットは保護チャネル上のみで送信することができ、現用チャネル上では転送することができない。
【０００５】
従来技術では、G.8031とTYPE  B／C保護のセグメント保護スキームは、ネットワークデータのバックアップを実現するために採用される。すなわち、OLTからCPまで、G.8031を用いて、OLT  GEアップリンクデュアルホーミング保護を実現することができる。また、G.8031  VLANサービスチャネル保護により、終端間のサービスパスが保護される。更に、TYPE  BとTYPE  Cのデュアルホーミング保護スキームはPONで採用され、PONファイバトランクはPONリンクレベルを用いて保護され、それにより、ネットワークデータのバックアップが実現される。
【０００６】
しかしながら、G.8031及びTYPE  B／C保護のセグメント保護スキームでは、G.8031規格の定義に従って、１つのOLTとリモートスイッチ装置ETH  Switchとの間では、互いを保護する２つのVLANサービスチャネルVLAN  X及びVLAN  Yのみ確立することができる。VLAN  Xはアクティブサービスチャネルであり、VLAN  Yはバックアップサービスチャネルである。アクティブサービスチャネルVLAN  Xに障害が発生したとき、ONTによってアクセスされるサービスが正常であることを保証するために、サービスはバックアップサービスチャネルVLAN  Yに切り換えられる。しかしながら、ONTと1つのOLTとの間のPONに障害が発生したとき、別のOLTがスタンバイOLTとして機能し、デュアルホーミングTYPE  B保護により、スタンバイOLTとONTとの間のPONポートを有効化する。これにより、障害のあるPONに対応するONT上のサービスは、スタンバイOLTを用いてネットワークにアクセスすることができる。しかしながら、障害のあるPONに対応するONT上にバックアップサービスチャネルVLAN  Yが確立されるので、スタンバイOLTはG.8031  VLAN保護スイッチングを実行することができず、アップリンクSwitchリンクのサービス中断をPON側に通知することができない。結果として、PON側のサービスの連携切換えを実現することができない。PONの切断はCP側のアップリンクリンク切換えに関連付けられることもできず、よって、ONTによってアクセスされるサービスの中断が生じる。結果として、OLTのアップリンクにおいてセグメント保護スキームを用いるとき、保護スキームの違いにより、ユーザによる配置が複雑であり、システム内の終端間スイッチングが予測不可能であり、実際のクロスデバイスの終端間サービスレベルの切換えを迅速に実現することができない。
【発明の概要】
【０００７】
本発明の実施形態は、リンクの切換方法、装置及びシステムを提供し、これらはデバイス間のリンクの迅速な連携切換えを実現するために、リンクの切換機構を提供する。
【０００８】
上記の目的を達成するために、本発明の実施形態は以下の技術的解決策を採用する。
【０００９】
第１の態様によれば、光ネットワークユニットが提供される。本光ネットワークユニットは、
第１のリンクをモニタリングするために、第１の管理終端ポイントを介して、アグリゲーション側スイッチ装置に接続された第１のリンク上でモニタリングパケットを送信するように構成されるモニタリングユニットであって、第１のリンクは、光ネットワークユニットと第１の光回線端末との間の第１のサブリンクと、第１の光回線端末とアグリゲーション側スイッチ装置との間の第２のサブリンクとを含む、モニタリングユニットと、
第１のリンク上にリンク障害が発生したと検出された場合に、第１のリンクの第１のサブリンクから第２のリンクの第１のサブリンクへの切換えを行うように構成されるスイッチユニットであって、第２のリンクは、第１のリンク以外の、光ネットワークユニットとアグリゲーション側スイッチ装置との間のリンクであり、第２のリンクの第１のサブリンクは、光ネットワークユニットと第２の光回線端末との間のリンクである、スイッチユニットと、
第２の光回線端末に通知メッセージを送信するように構成される送信ユニットであって、通知メッセージは、第２の光回線端末が伝送ポートを有効化できるように、第２の光回線端末にリンク切換えの発生及び切換えの原因を通知するために用いられる、送信ユニットと、
を備え、
送信ユニットは更に、第２の管理終端ポイントを介して第２のリンク上で、アグリゲーション側スイッチ装置に自動保護スイッチメッセージを送信するように構成され、自動保護スイッチメッセージは、自動保護スイッチメッセージの受信後にアグリゲーション側スイッチ装置が第１のリンクの第２のサブリンクから第２のリンクの第２のサブリンクへの切換えを実行できるように、アグリゲーション側スイッチ装置にリンク切換えの発生を通知するために用いられ、第２のリンクの第２のサブリンクは、アグリゲーション側スイッチ装置と第２の光回線端末との間のリンクである。
【００１０】
第１の態様に関して、第１の可能な実施方式では、
第１のリンク上で発生しているリンク障害は、第１のリンクの第１のサブリンク上の障害、第１のリンクの第２のサブリンクのダウンリンク方向の障害、又は第１のリンクの第２のサブリンクのアップリンク方向の障害であり、
ダウンリンク方向は、アグリゲーション側スイッチ装置から第１の光回線端末にサービスデータが送信される方向であり、アップリンク方向は、第１の光回線端末からアグリゲーション側スイッチ装置にサービスデータが送信される方向である。
【００１１】
第１の態様の第１の可能な実施方式に関して、第２の可能な実施方式では、第１のリンク上で発生しているリンク障害が、第１のリンクの第１のサブリンクの障害であるか、又は第１のリンクの第２のサブリンクのダウンリンク方向の障害である場合、管理ユニットは更に、
第１のリンク上で発生しているリンク障害が第１のリンクの第１のサブリンクの障害であるか、又は第１のリンクの第２のサブリンクのダウンリンク方向の障害であるという情報を、モニタリングパケットから取得するように構成される。
【００１２】
第１の態様の第１の可能な実施方式に関して、第３の可能な実施方式では、第１のリンク上で発生しているリンク障害が第１のリンクの第１のサブリンクの障害である場合、通知メッセージは物理層運用保守管理メッセージである。
【００１３】
第１の態様の第１の可能な実施方式に関して、第４の可能な実施方式では、第１のリンク上で発生しているリンク障害が第１のリンクの第２のサブリンクのダウンリンク方向の障害である場合、通知メッセージはPONセクショントレースメッセージである。サービスデータ伝送の第２のリンクの第１のサブリンクへの切換えが成功した後、送信ユニットは更に、
第１の光回線端末に属性値変化通知を送信するように構成される。属性値変化通知は、第１の光回線端末にリンク切換えの発生と切換えの原因とを通知するために用いられる。
【００１４】
第１の態様の第１の可能な実施方式に関して、第５の可能な実施方式では、リンク障害が第１のリンクの第２のサブリンクのアップリンク方向の障害である場合、通知メッセージはPONセクショントレースメッセージである。光ネットワークユニットは更に受信ユニットを備える。モニタリングユニットがモニタリングパケットから第１のリンク上のリンク障害についての情報を取得する前に、受信ユニットは、
光ネットワークユニットが、自動保護スイッチメッセージを受信した後に、モニタリングパケットを用いて第１のリンク上のリンク障害についての情報を取得できるように、アグリゲーション側スイッチ装置によって送信された自動保護スイッチメッセージを受信するように構成される。
【００１５】
第２の態様によれば、アグリゲーション側スイッチ装置が提供される。本アグリゲーション側スイッチ装置は、
第１の管理終端ポイントを介して、光ネットワークユニットに接続された第１のリンク上でモニタリングパケットを送信して、第１のリンクをモニタリングするように構成されるモニタリングユニットであって、第１のリンクは、光ネットワークユニットと第１の光回線端末との間の第１のサブリンクと、第１の光回線端末とアグリゲーション側スイッチ装置との間の第２のサブリンクとを含む、モニタリングユニットと、
光ネットワークユニットにより第２の管理終端ポイントを介して第２のリンク上で送信された自動保護スイッチメッセージを受信するように構成される受信ユニットであって、自動保護スイッチメッセージは、アグリゲーション側スイッチ装置にリンク切換えの発生を通知するために用いられる、受信ユニットと、
自動保護スイッチメッセージが受信された後に、第１のリンクの第２のサブリンクから第２のリンクの第２のサブリンクへの切換えを実行するように構成されるスイッチユニットであって、第２のリンクの第２のサブリンクは、アグリゲーション側スイッチ装置と第２の光回線端末との間のリンクである、スイッチユニットと、
を備える。
【００１６】
第２の態様に関して、第１の可能な実施方式では、
第１のリンク上で発生しているリンク障害は、第１のリンクの第１のサブリンク上の障害、第１のリンクの第２のサブリンクのダウンリンク方向の障害、又は第１のリンクの第２のサブリンクのアップリンク方向の障害であり、
ダウンリンク方向は、アグリゲーション側スイッチ装置から第１の光回線端末にサービスデータが送信される方向であり、アップリンク方向は、第１の光回線端末からアグリゲーション側スイッチ装置にサービスデータが送信される方向である。
【００１７】
第２の態様の第１の可能な実施方式に関して、第２の可能な実施方式では、第１のリンク上で発生しているリンク障害が第１のリンクの第２のサブリンクのダウンリンク方向の障害である場合、
モニタリングユニットは更に、第１のリンク上で発生しているリンク障害が第１のリンクの第２のサブリンクのダウンリンク方向の障害であるという情報を、モニタリングパケットから取得するように構成され、
スイッチユニットは更に、第２のリンクの第２のサブリンクと第１のリンクの第２のサブリンクとの間で、サービスデータ伝送を所定の頻度で切り換えるように構成され、スイッチユニットは、光ネットワークユニットが自動保護スイッチメッセージを受信した後に切換えを停止し、
アグリゲーション側スイッチ装置は更に送信ユニットを備え、送信ユニットは、スイッチユニットが第２のリンクの第２のサブリンクと第１のリンクの第２のサブリンクとの間でサービスデータ伝送を切り換えた後、サービスデータが伝送されていないリンクを用いて光ネットワークユニットに自動保護スイッチメッセージを送信するように構成される。
【００１８】
第３の態様によれば、リンクスイッチシステムが提供される。リンクスイッチシステムは、少なくとも２つの光回線端末を備える。リンクスイッチシステムは更に、第１の態様の光ネットワークユニットと、第２の態様のアグリゲーション側スイッチ装置とを備える。
【００１９】
第４の態様によれば、リンクの切換方法が提供される。本方法は、
光ネットワークユニットが、第１の管理終端ポイントを介して、光ネットワークユニット及びアグリゲーション側スイッチ装置に接続された第１のリンク上でモニタリングパケットを送信して、第１のリンクをモニタリングするステップであって、第１のリンクは、光ネットワークユニットと第１の光回線端末との間の第１のサブリンクと、第１の光回線端末とアグリゲーション側スイッチ装置との間の第２のサブリンクとを含む、ステップと、
第１のリンク上にリンク障害が発生したと検出された場合に、光ネットワークユニットが、第１のリンクの第１のサブリンクから第２のリンクの第１のサブリンクへの切換えを実行するステップであって、第２のリンクは、第１のリンク以外の、光ネットワークユニットとアグリゲーション側スイッチ装置との間のリンクであり、第２のリンクの第１のサブリンクは、光ネットワークユニットと第２の光回線端末との間のリンクである、ステップと、
光ネットワークユニットが、第２の光回線端末に通知メッセージを送信するステップであって、通知メッセージは、第２の光回線端末が伝送ポートを有効化できるように、第２の光回線端末にリンク切換えの発生及び切換えの原因を通知するために用いられる、ステップと、
光ネットワークユニットが、第２の管理終端ポイントを介して第２のリンク上で、アグリゲーション側スイッチ装置に自動保護スイッチメッセージを送信するステップであって、自動保護スイッチメッセージは、自動保護スイッチメッセージの受信後にアグリゲーション側スイッチ装置が第１のリンクの第２のサブリンクから第２のリンクの第２のサブリンクへの切換えを実行できるように、アグリゲーション側スイッチ装置にリンク切換えの発生を通知するために用いられ、第２のリンクの第２のサブリンクは、アグリゲーション側スイッチ装置と第２の光回線端末との間のリンクである、ステップと、
を含む。
【００２０】
第４の態様に関して、第１の可能な実施方式では、
第１のリンク上で発生しているリンク障害は、第１のリンクの第１のサブリンク上の障害であり、第１のリンクの第１のサブリンクの障害は、光ネットワークユニットによって検出されるリンク障害であり、又は、
第１のリンク上で発生しているリンク障害は、第１のリンクの第２のサブリンクのダウンリンク方向の障害であり、ダウンリンク方向は、アグリゲーション側スイッチ装置から第１の光回線端末にサービスデータが送信される方向であり、第１のリンクの第２のサブリンクのダウンリンク方向の障害は、光ネットワークユニットによって検出されるリンク障害であり、又は、
第１のリンク上で発生しているリンク障害は、第１のリンクの第２のサブリンクのアップリンク方向の障害であり、アップリンク方向は、第１の光回線端末からアグリゲーション側スイッチ装置にサービスデータが送信される方向であり、第１のリンクの第２のサブリンクのアップリンク方向の障害は、アグリゲーション側スイッチ装置によって検出されたリンク障害である。
【００２１】
第４の態様の第１の可能な実施方式に関して、第２の可能な実施方式では、リンク障害が第１のリンクの第１のサブリンクの障害である場合、通知メッセージは物理層運用保守管理メッセージである。
【００２２】
第４の態様の第１の可能な実施方式に関して、第３の可能な実施方式では、リンク障害が第１のリンクの第２のサブリンクのダウンリンク方向の障害である場合、通知メッセージはPONセクショントレースメッセージである。サービスデータ伝送の第２のリンクの第１のサブリンクへの切換えが成功した後、本方法は更に、
光ネットワークユニットが、第１の光回線端末に属性値変化通知を送信するステップであって、属性値変化通知は、第１の光回線端末にリンク切換えの発生と切換えの原因とを通知するために用いられる、ステップ、
を含む。
【００２３】
第４の態様の第１の可能な実施方式に関して、第４の可能な実施方式では、リンク障害が第１のリンクの第２のサブリンクのアップリンク方向の障害である場合、通知メッセージはPONセクショントレースメッセージである。光ネットワークユニットが検出データを用いて第１のリンク上のリンク障害についての情報を取得する前に、本方法は更に、
アグリゲーション側スイッチ装置が、リンク障害を検出した後、第２のリンクの第２のサブリンクと第１のリンクの第２のサブリンクとの間で、サービスデータ伝送を所定の頻度で繰り返し切り換えて、サービスデータが伝送されていないリンクを用いて光ネットワークユニットに自動保護スイッチメッセージを送信するステップと、
光ネットワークユニットが自動保護スイッチメッセージを受信した後に、アグリゲーション側スイッチ装置が、切換えを停止するステップと、
を含む。
【００２４】
本発明の実施形態は、リンクの切換方法、装置及びシステムを提供する。光ネットワークユニットが、第１の管理終端ポイントを介して、光ネットワークユニット及びアグリゲーション側スイッチ装置に接続された第１のリンク上でモニタリングパケットを送信して、第１のリンクをモニタリングする。第１のリンク上にリンク障害が発生したと検出された場合に、光ネットワークユニットが、第１のリンクの第１のサブリンクから第２のリンクの第１のサブリンクへの切換えを実行する。第２の光回線端末が伝送ポートを有効化できるように、光ネットワークユニットが、第２の光回線端末に通知メッセージを送信する。アグリゲーション側スイッチ装置が、自動保護スイッチメッセージを受信した後に、第１のリンクの第２のサブリンクから第２のリンクの第２のサブリンクへの切換えを実行できるように、光ネットワークユニットが、第２の管理終端ポイントを介して第２のリンク上で、アグリゲーション側スイッチ装置に自動保護スイッチメッセージを送信する。したがって、デバイス間のリンクの迅速なリンク切換えを実現するために、リンク切換機構が提供される。
【図面の簡単な説明】
【００２５】
本発明の実施形態又は従来技術における技術的解決策をより明確に説明するために、以下、実施形態又は従来技術を説明するために必要な図面を簡単に紹介する。明らかながら、添付図面は以下の説明において本発明のいくつかの実施形態を示すに過ぎない。当業者であれば、これらの添付図面から創意工夫なく、他の図面を更に導出できるであろう。
【図１】本発明の実施形態に係る、リンクの切換方法の概略フローチャートである。
【図２】本発明の実施形態に係る、別のリンクの切換方法の概略フローチャートである。
【図３】本発明の実施形態に係る、別のリンクの切換方法の概略フローチャートである。
【図４】本発明の実施形態に係る、別のリンクの切換方法の概略フローチャートである。
【図５】本発明の実施形態に係る、別のリンクの切換方法の概略フローチャートである。
【図６】本発明の実施形態に係る、別のリンクの切換方法の概略フローチャートである。
【図７】本発明の実施形態に係る、別のリンクの切換方法の概略フローチャートである。
【図８】本発明の実施形態に係る、光ネットワークユニットの概略構造図である。
【図９】本発明の実施形態に係る、別の光ネットワークユニットの概略構造図である。
【図１０】本発明の実施形態に係る、アグリゲーション側スイッチ装置の概略構造図である。
【図１１】本発明の実施形態に係る、別のアグリゲーション側スイッチ装置の概略構造図である。
【図１２】本発明の実施形態に係る、別の光ネットワークユニットの概略構造図である。
【図１３】本発明の実施形態に係る、別のアグリゲーション側スイッチ装置の概略構造図である。
【発明を実施するための形態】
【００２６】
以下、本発明の実施形態において添付図面を参照しながら、本発明の実施形態における技術的解決策について明確且つ完全に説明する。明らかながら、説明した実施形態は本発明の実施形態の一部に過ぎず、全部ではない。当業者が本発明の実施形態に基づいて創意工夫なく得た他の実施形態は、全て本発明の保護範囲内に包含されるものとする。
【００２７】
本発明の実施形態は、リンクの切換方法を提供する。図１に示されるように、本方法は以下を含む。
【００２８】
１０１：光ネットワークユニットが、第１の管理終端ポイントを介して、光ネットワークユニット及びアグリゲーション側スイッチ装置に接続された第１のリンク上でモニタリングパケットを送信して、第１のリンクをモニタリングする。第１のリンクは、光ネットワークユニットと第１の光回線端末との間の第１のサブリンクと、第１の光回線端末とアグリゲーション側スイッチ装置との間の第２のサブリンクとを含む。
【００２９】
１０２：第１のリンク上にリンク障害が発生したと検出された場合に、光ネットワークユニットが、第１のリンクの第１のサブリンクから第２のリンクの第１のサブリンクへの切換えを実行する。第２のリンクは、第１のリンク以外の、光ネットワークユニットとアグリゲーション側スイッチ装置との間のリンクであり、第２のリンクの第１のサブリンクは、光ネットワークユニットと第２の光回線端末との間のリンクである。
【００３０】
１０３：光ネットワークユニットが、第２の光回線端末に通知メッセージを送信する。通知メッセージは、第２の光回線端末が伝送ポートを有効化できるように、第２の光回線端末にリンク切換えの発生及び切換えの原因を通知するために用いられる。
【００３１】
１０４：光ネットワークユニットが、第２の管理終端ポイントを介して第２のリンク上で、アグリゲーション側スイッチ装置に自動保護スイッチメッセージを送信する。自動保護スイッチメッセージは、自動保護スイッチメッセージの受信後にアグリゲーション側スイッチ装置が第１のリンクの第２のサブリンクから第２のリンクの第２のサブリンクへの切換えを実行できるように、アグリゲーション側スイッチ装置にリンク切換えの発生を通知するために用いられる。第２のリンクの第２のサブリンクは、アグリゲーション側スイッチ装置と第２の光回線端末との間のリンクである。
【００３２】
本発明の本実施形態はリンクの切換方法を提供する。光ネットワークユニットが、第１の管理終端ポイントを介して、光ネットワークユニット及びアグリゲーション側スイッチ装置に接続された第１のリンク上でモニタリングパケットを送信して、第１のリンクをモニタリングする。第１のリンク上にリンク障害が発生したと検出された場合に、光ネットワークユニットが、第１のリンクの第１のサブリンクから第２のリンクの第１のサブリンクへの切換えを実行する。第２の光回線端末が伝送ポートを有効化できるように、光ネットワークユニットが、第２の光回線端末に通知メッセージを送信する。アグリゲーション側スイッチ装置が、自動保護スイッチメッセージを受信した後に、第１のリンクの第２のサブリンクから第２のリンクの第２のサブリンクへの切換えを実行できるように、光ネットワークユニットが、第２の管理終端ポイントを介して第２のリンク上で、アグリゲーション側スイッチ装置に自動保護スイッチメッセージを送信する。したがって、デバイス間のリンクの迅速なリンク切換えを実現するために、リンク切換機構が提供される。
【００３３】
当業者が本発明の実施形態により提供される技術的解決策をより明確に理解できるようにするために、以下、具体的な実施形態を用いて、本発明の実施形態によって提供されるリンクの切換方法を詳細に説明する。本実施形態では、リンク障害が光ネットワークユニットと光回線端末との間のリンクの障害であると仮定する。本実施形態では、説明を簡単にするために、光ネットワークユニットをONU（Optical  Network  Unit）と表し、アグリゲーション側スイッチ装置をCP  Switch（Communications  Provider's  Switch）と表し、光回線端末をOLT（Optical  Line  Terminal）と表す。第１の光回線端末はOLT1であり、第２の光回線端末はOLT2である。本発明の本実施形態によって提供されるリンクの切換方法は、少なくとも２つのOLTを含む。説明を簡単にするために、本実施形態は２つのOLTを例として用いる。図２に示されるように、本方法は以下を含む。
【００３４】
２０１：ONUが、第１の管理終端ポイントを介して、ONU及びCP  Switchに接続された第１のリンク上でモニタリングパケットを送信して、第１のリンクをモニタリングする。
【００３５】
具体的には、モニタリングパケットはCCM（Continuity  Check  Message、接続性確認メッセージ）であってよい。ONU上には管理終端ポイントMEP（Maintenance  association  End  Point）が設けられ、よって、CCMは、MEPを介して、ONUとCP  Switchとの間の各MEPに対応するリンク上で送信されてよい。リンクのいずれか１つについて、ONU及びCP  Switchは、CCMを用いて同時にリンクをモニタリングする。
【００３６】
２０２：ONUが、CCMを用いて、光ネットワークユニットとOLT1との間のリンクの障害を取得する。
【００３７】
具体的には、図３に示されるように、ONUとOLT1との間のリンクで障害が発生する。仮定として、OLT1とCP  Switchとの間のリンク（ONUの第１のMEPが設けられる）が第１のリンクである。ONUとOLT1との間のリンクが第１のリンクの第１のサブリンクであり、OLT1とCP  Switchとの間のリンクが第１のリンクの第２のサブリンクである。OLT2とCP  Switchとの間のリンク（ONUの第２のMEPが設けられる）が第２のリンクである。ONUとOLT2との間のリンクが第２のリンクの第１のサブリンクであり、OLT2とCP  Switchとの間のリンクが第２のリンクの第２のサブリンクである。このケースでは、ONUは、CCMを用いて、第１のリンクの第１のサブONUとOLT1との間のリンク上で障害が発生したことを検出し、障害のあるリンクの位置と障害情報を取得する。障害情報は障害の原因等を含んでよい。
【００３８】
留意すべきこととして、ONUとOLTはスプリッタ（Splitter）を用いて互いに接続される。OLTとCP  Switchとの間には、様々なタイプの装置も含まれる。図中の接続線は例示的なものに過ぎない。
【００３９】
２０３：ONUが、ONUとOLT1との間のリンクの障害を評価する。
【００４０】
具体的には、ONUによって検出されたリンク障害がCCM伝送のプロセスにおいてエラー情報によって引き起こされた障害である場合があるので、ONUとOLT1との間のリンク上で発生した実際の障害の代わりである。リンク障害が実際にONUとOLT1との間のリンク上で発生した障害であることを確認するために、CCMは、ONUとOLT1との間のリンクの障害を確認する必要がある。
【００４１】
２０４：ONUが、第１のリンクの第１のサブリンクから第２のリンクの第１のサブリンクへの切換えを実行する。
【００４２】
具体的には、ONUは、ONUとOLT1との間の第１のMEPに対応するリンクからONUとOLT2との間のリンクへの切換えを実行する。すなわち、第１のリンクの第１のサブリンクから第２のリンクの第１のサブリンクへの切換えを実行する。
【００４３】
２０５：ONUが、OLT2に通知メッセージを送信する。
【００４４】
具体的には、メッセージはPLOAM（Physical  Layer  Operation  Administration  and  Maintenance、物理層運用保守管理）メッセージであってよい。PLOAMメッセージは、OLT2にポートを有効化するように命令するために用いられる。
【００４５】
２０６：OLT2がポートを有効化した後、ONUが、CP  Switchに自動保護スイッチメッセージを送信する。
【００４６】
具体的には、自動保護スイッチメッセージはAPS（Automatic  Protection  Switching）メッセージであってよい。APSメッセージは、CP  Switchにリンク切換えの発生を通知するために用いられる。
【００４７】
２０７：CP  Switchが、第１のリンクの第２のサブリンクから第２のリンクの第２のサブリンクへの切換えを実行する。
【００４８】
具体的には、CP  SwitchはOLT1とCP  Switchとの間のリンクからOLT2とCP  Switchとの間のリンクへの切換えを実行して、第１のリンクから第２のリンクへのサービスデータ伝送の切換えを実現する。
【００４９】
本発明の本実施形態はリンクの切換方法を提供する。光ネットワークユニットが、第１の管理終端ポイントを介して、光ネットワークユニット及びアグリゲーション側スイッチ装置に接続された第１のリンク上でモニタリングパケットを送信して、第１のリンクをモニタリングする。第１のリンク上にリンク障害が発生したと検出された場合に、光ネットワークユニットが、第１のリンクの第１のサブリンクから第２のリンクの第１のサブリンクへの切換えを実行する。第２の光回線端末が伝送ポートを有効化できるように、光ネットワークユニットが、第２の光回線端末に通知メッセージを送信する。アグリゲーション側スイッチ装置が、自動保護スイッチメッセージを受信した後に、第１のリンクの第２のサブリンクから第２のリンクの第２のサブリンクへの切換えを実行できるように、光ネットワークユニットが、第２の管理終端ポイントを介して第２のリンク上で、アグリゲーション側スイッチ装置に自動保護スイッチメッセージを送信する。したがって、デバイス間のリンクの迅速なリンク切換えを実現するために、リンク切換機構が提供される。
【００５０】
本発明は更にリンクの切換方法を提供する。一実施形態において、リンク障害が第１のリンクの第２のサブリンクのダウンリンク方向の障害であると仮定する。先の実施形態と同様に、本実施形態では、光ネットワークユニットをONUと表し、アグリゲーション側スイッチ装置をCP  Switchと表し、光回線端末をOLTと表す。第１の光回線端末はOLT1であり、第２の光回線端末はOLT2である。同様に、本発明の本実施形態によって提供されるリンクの切換方法は、少なくとも２つのOLTを含む。説明を簡単にするために、本実施形態は２つのOLTを例として用いる。図４に示されるように、本方法を以下を含む。
【００５１】
３０１：ONUが、第１の管理終端ポイントを介して、ONU及びCP  Switchに接続された第１のリンク上でモニタリングパケットを送信して、第１のリンクをモニタリングする。
【００５２】
本実施形態では、このステップは先の実施形態のステップ2０１と同じであり、ここでは詳細の説明を省略する。
【００５３】
３０２：ONUは、CCMを用いて、CP  SwitchとOLT1との間のリンクの障害を取得する。
【００５４】
具体的には、図５に示されるように、OLT1とCP  Switchとの間のダウンリンクリンクで障害が発生する。第１のリンク、第１のリンクの第１のサブリンク、第１のリンクの第２のサブリンク、第２のリンク、第２のリンクの第１のサブリンク及び第２のリンクの第２のサブリンクの定義は、先の実施形態における定義と同様であるので、ここでは詳細の説明を省略する。このケースでは、ONUは、CCMを用いて、第１のリンクの第２のサブOLT1とCP  Switchとの間のリンクのダウンリンクリンクに障害が発生したことを検出し、障害のあるリンクの位置と障害情報を取得する。障害情報は障害の原因等を含んでよい。
【００５５】
３０３：ONUが、ONUとOLT1との間のリンクの障害を評価する。
【００５６】
本実施形態では、このステップは先の実施形態のステップ2０３と同じであるので、ここでは詳細の説明を省略する。
【００５７】
３０４：ONUが、第１のリンクの第１のサブリンクから第２のリンクの第１のサブリンクへの切換えを実行する。
【００５８】
本実施形態では、このステップは先の実施形態のステップ２０４と同じであるので、ここでは詳細の説明を省略する。
【００５９】
３０５：ONUが、OLT2に通知メッセージを送信する。
【００６０】
具体的には、メッセージはPST（PON  Section  Trace、PONセクショントレース）メッセージであってよい。PSTメッセージは、OLT2にポートを有効化するように命令するために用いられる。
【００６１】
３０６：ONUが、OLT1にAVC（Attribute  Value  Change、属性値変化）メッセージを送信する。
【００６２】
具体的には、OLT1がOLT1に対応するリンクをスタンバイリンクとして設定できるように、AVCメッセージは、リンク切換えの成功をOLT1に通知するために用いられる。
【００６３】
３０７：OLT2がポートを有効化した後、ONUが、CP  Switchに自動保護スイッチメッセージを送信する。
【００６４】
本実施形態では、このステップは先の実施形態のステップ２０６と同じであるので、ここでは詳細の説明を省略する。
【００６５】
３０８：CP  Switchが、第１のリンクの第２のサブリンクから第２のリンクの第２のサブリンクへの切換えを実行する。
【００６６】
本実施形態では、このステップは先の実施形態のステップ２０６と同じであるので、ここでは詳細の説明を省略する。
【００６７】
本発明の本実施形態はリンクの切換方法を提供する。光ネットワークユニットが、第１の管理終端ポイントを介して、光ネットワークユニット及びアグリゲーション側スイッチ装置に接続された第１のリンク上でモニタリングパケットを送信して、第１のリンクをモニタリングする。第１のリンク上にリンク障害が発生したと検出された場合に、光ネットワークユニットが、第１のリンクの第１のサブリンクから第２のリンクの第１のサブリンクへの切換えを実行する。第２の光回線端末が伝送ポートを有効化できるように、光ネットワークユニットが、第２の光回線端末に通知メッセージを送信する。アグリゲーション側スイッチ装置が、自動保護スイッチメッセージを受信した後に、第１のリンクの第２のサブリンクから第２のリンクの第２のサブリンクへの切換えを実行できるように、光ネットワークユニットが、第２の管理終端ポイントを介して第２のリンク上で、アグリゲーション側スイッチ装置に自動保護スイッチメッセージを送信する。したがって、デバイス間のリンクの迅速なリンク切換えを実現するために、リンク切換機構が提供される。
【００６８】
本発明は更にリンクの切換方法を提供する。一実施形態において、リンク障害が第１のリンクの第２のサブリンクのアップリンク方向の障害であると仮定する。先の実施形態と同様に、本実施形態では、光ネットワークユニットをONUと表し、アグリゲーション側スイッチ装置をCP  Switchと表し、光回線端末をOLTと表す。第１の光回線端末はOLT1であり、第２の光回線端末はOLT2である。同様に、本発明の本実施形態によって提供されるリンクの切換方法は、少なくとも２つのOLTを含む。説明を簡単にするために、本実施形態は２つのOLTを例として用いる。図６に示されるように、本方法は以下を含む。
【００６９】
４０１：ONUが、第１の管理終端ポイントを介して、ONU及びCP  Switchに接続された第１のリンク上でモニタリングパケットを送信して、第１のリンクをモニタリングする。
【００７０】
本実施形態では、このステップは先の実施形態のステップ２０１と同じであるので、ここでは詳細の説明を省略する。
【００７１】
４０２：CP  Switchが、CCMを用いて、CP  SwitchとOLT1との間のリンクの障害を取得する。
【００７２】
具体的には、図７に示されるように、OLT1とCP  Switchとの間のアップリンクリンクに障害が発生する。第１のリンク、第１のリンクの第１のサブリンク、第１のリンクの第２のサブリンク、第２のリンク、第２のリンクの第１のサブリンク及び第２のリンクの第２のサブリンクの定義は、先の実施形態における定義と同様であるので、ここでは詳細の説明を省略する。このケースでは、CP  Switchは、CCMを用いて、第１のリンクの第２のサブOLT1とCP  Switchとの間のリンクのアップリンクリンク上で障害が発生したことを検出する。
【００７３】
４０３：CP  Switchが、第２のリンクの第２のサブリンクと第１のリンクの第２のサブリンクとの間で、サービスデータ伝送を所定の頻度で繰り返し切り換えて、光ネットワークユニットが自動保護スイッチメッセージを受信するまで光ネットワークユニットに自動保護スイッチメッセージを送信する。
【００７４】
CP  SwitchがONUによって送信された自動保護スイッチメッセージを受信した後にCP  Switchによって実行されるリンク切換えのみが有効な切換えに属するので、このケースでは、ONUが対応する動作を行えるように、CP  Switchは、一時的なリンク切換えによりONUにAPSメッセージを送信して、リンク障害の発生をONUに通知する。よって、
４０４：ONUがAPSメッセージを受信し、CCMを用いて、光ネットワークユニットと光回線端末との間のリンクの障害に関する情報を取得する。
【００７５】
具体的には、ONUはCCMを用いて、第１のリンクの第２のサブOLT1とCP  Switchとの間のリンクのアップリンクリンク上で障害が発生したことを検出し、障害のあるリンクの位置と障害情報を取得する。障害情報は障害の原因等を含んでよい。
【００７６】
４０５：ONUが、ONUとOLT1との間のリンクの障害を評価する。
【００７７】
本実施形態では、このステップは先の実施形態のステップ２０３と同じであるので、ここでは詳細の説明を省略する。
【００７８】
４０６：ONUが、第１のリンクの第１のサブリンクから第２のリンクの第１のサブリンクへの切換えを実行する。
【００７９】
本実施形態では、このステップは先の実施形態のステップ２０４と同じであるので、ここでは詳細の説明を省略する。
【００８０】
４０７：ONUが、OLT2に通知メッセージを送信する。
【００８１】
本実施形態では、このステップは先の実施形態のステップ３０５と同じであるので、ここでは詳細の説明を省略する。
【００８２】
４０８：ONUが、OLT1にAVC（Attribute  Value  Change、属性値変化）メッセージを送信する。
【００８３】
具体的には、このステップは先の実施形態のステップ３０６と同じであるので、ここでは詳細の説明を省略する。
【００８４】
４０９：OLT2がポートを有効化した後、ONUが、CP  Switchに自動保護スイッチメッセージを送信する。
【００８５】
本実施形態では、このステップは先の実施形態のステップ２０６と同じであるので、ここでは詳細の説明を省略する。
【００８６】
４１０：CP  Switchが、第１のリンクの第２のサブリンクから第２のリンクの第２のサブリンクへの切換えを実行する。
【００８７】
本実施形態では、このステップは先の実施形態のステップ２０６と同じであるので、ここでは詳細の説明を省略する。
【００８８】
本発明の本実施形態はリンクの切換方法を提供する。光ネットワークユニットが、第１の管理終端ポイントを介して、光ネットワークユニット及びアグリゲーション側スイッチ装置に接続された第１のリンク上でモニタリングパケットを送信して、第１のリンクをモニタリングする。第１のリンク上にリンク障害が発生したと検出された場合に、光ネットワークユニットが、第１のリンクの第１のサブリンクから第２のリンクの第１のサブリンクへの切換えを実行する。第２の光回線端末が伝送ポートを有効化できるように、光ネットワークユニットが、第２の光回線端末に通知メッセージを送信する。アグリゲーション側スイッチ装置が、自動保護スイッチメッセージを受信した後に、第１のリンクの第２のサブリンクから第２のリンクの第２のサブリンクへの切換えを実行できるように、光ネットワークユニットが、第２の管理終端ポイントを介して第２のリンク上で、アグリゲーション側スイッチ装置に自動保護スイッチメッセージを送信する。したがって、デバイス間のリンクの迅速なリンク切換えを実現するために、リンク切換機構が提供される。
【００８９】
本発明の実施形態は更に、光ネットワークユニット１を提供する。図８に示されるように、光ネットワークユニット１は、以下の要素を備える。
【００９０】
モニタリングユニット１１は、第１の管理終端ポイントを介して、アグリゲーション側スイッチ装置に接続された第１のリンク上でモニタリングパケットを送信して、第１のリンクをモニタリングするように構成される。第１のリンクは、光ネットワークユニット１と第１の光回線端末との間の第１のサブリンクと、第１の光回線端末とアグリゲーション側スイッチ装置との間の第２のサブリンクとを含む。
【００９１】
スイッチユニット１２は、第１のリンク上にリンク障害が発生したと検出された場合に、第１のリンクの第１のサブリンクから第２のリンクの第１のサブリンクへの切換えを行うように構成される。第２のリンクは、第１のリンク以外の、光ネットワークユニット１とアグリゲーション側スイッチ装置との間のリンクである。第２のリンクの第１のサブリンクは、光ネットワークユニットと第２の光回線端末との間のリンクである
送信ユニット１３は、第２の光回線端末に通知メッセージを送信するように構成される。通知メッセージは、第２の光回線端末が伝送ポートを有効化できるように、第２の光回線端末にリンク切換えの発生及び切換えの原因を通知するために用いられる。
【００９２】
送信ユニット１３は更に、第２の管理終端ポイントを介して第２のリンク上で、アグリゲーション側スイッチ装置に自動保護スイッチメッセージを送信するように構成される。自動保護スイッチメッセージは、自動保護スイッチメッセージの受信後にアグリゲーション側スイッチ装置が第１のリンクの第２のサブリンクから第２のリンクの第２のサブリンクへの切換えを実行できるように、アグリゲーション側スイッチ装置にリンク切換えの発生を通知するために用いられる。第２のリンクの第２のサブリンクは、アグリゲーション側スイッチ装置と第２の光回線端末との間のリンクである。
【００９３】
任意に、
第１のリンク上で発生しているリンク障害は、第１のリンクの第１のサブリンク上の障害、第１のリンクの第２のサブリンクのダウンリンク方向の障害、又は第１のリンクの第２のサブリンクのアップリンク方向の障害であり、
ダウンリンク方向は、アグリゲーション側スイッチ装置から第１の光回線端末にサービスデータが送信される方向であり、アップリンク方向は、第１の光回線端末からアグリゲーション側スイッチ装置にサービスデータが送信される方向である。
【００９４】
任意に、第１のリンク上で発生しているリンク障害が、第１のリンクの第１のサブリンクの障害であるか、又は第１のリンクの第２のサブリンクのダウンリンク方向の障害である場合、モニタリングユニット１１は更に、
第１のリンク上で発生しているリンク障害が第１のリンクの第１のサブリンクの障害であるか、又は第１のリンクの第２のサブリンクのダウンリンク方向の障害であるという情報を、モニタリングパケットから取得するように構成される。
【００９５】
任意に、第１のリンク上で発生しているリンク障害が第１のリンクの第１のサブリンクの障害である場合、通知メッセージは物理層運用保守管理メッセージである。
【００９６】
任意に、第１のリンク上で発生しているリンク障害が第１のリンクの第２のサブリンクのダウンリンク方向の障害である場合、通知メッセージはPONセクショントレースメッセージである。送信ユニット１３は更に、第２のリンクの第１のサブリンクへのサービスデータ伝送の切換えが成功した後に、
第１の光回線端末に属性値変化通知を送信するように構成される。属性値変化通知は、第１の光回線端末にリンク切換えの発生と切換えの原因とを通知するために用いられる。
【００９７】
任意に、図９に示されるように、リンク障害が第１のリンクの第２のサブリンクのアップリンク方向の障害である場合、通知メッセージはPONセクショントレースメッセージである。モニタリングユニットがモニタリングパケットから第１のリンク上のリンク障害についての情報を取得する前に、光ネットワークユニットは更に受信ユニット１４を備える。受信ユニット１４は、
光ネットワークユニットが、自動保護スイッチメッセージを受信した後に、モニタリングパケットを用いて第１のリンク上のリンク障害についての情報を取得できるように、アグリゲーション側スイッチ装置によって送信された自動保護スイッチメッセージを受信するように構成される。
【００９８】
本発明の本実施形態は光ネットワークユニットを提供する。光ネットワークユニットは、第１の管理終端ポイントを介して、光ネットワークユニット及びアグリゲーション側スイッチ装置に接続された第１のリンク上でモニタリングパケットを送信して、第１のリンクをモニタリングする。第１のリンク上にリンク障害が発生したと検出された場合に、光ネットワークユニットが、第１のリンクの第１のサブリンクから第２のリンクの第１のサブリンクへの切換えを実行する。第２の光回線端末が伝送ポートを有効化できるように、光ネットワークユニットが、第２の光回線端末に通知メッセージを送信する。アグリゲーション側スイッチ装置が、自動保護スイッチメッセージを受信した後に、第１のリンクの第２のサブリンクから第２のリンクの第２のサブリンクへの切換えを実行できるように、光ネットワークユニットが、第２の管理終端ポイントを介して第２のリンク上で、アグリゲーション側スイッチ装置に自動保護スイッチメッセージを送信する。したがって、デバイス間のリンクの迅速なリンク切換えを実現するために、リンク切換機構が提供される。
【００９９】
本発明は更にアグリゲーション側スイッチ装置２を提供する。図１０に示されるように、本装置は以下の要素を備える。
【０１００】
モニタリングユニット２１は、第１の管理終端ポイントを介して、光ネットワークユニットに接続された第１のリンク上でモニタリングパケットを送信して、第１のリンクをモニタリングするように構成される。第１のリンクは、光ネットワークユニットと第１の光回線端末との間の第１のサブリンクと、第１の光回線端末とアグリゲーション側スイッチ装置との間の第２のサブリンクとを含む。
【０１０１】
受信ユニット２２は、光ネットワークユニットにより第２の管理終端ポイントを介して第２のリンク上で送信された自動保護スイッチメッセージを受信するように構成される。自動保護スイッチメッセージは、アグリゲーション側スイッチ装置にリンク切換えの発生を通知するために用いられる。
【０１０２】
スイッチユニット２３は、自動保護スイッチメッセージが受信された後に、第１のリンクの第２のサブリンクから第２のリンクの第２のサブリンクへの切換えを実行するように構成される。第２のリンクの第２のサブリンクは、アグリゲーション側スイッチ装置と第２の光回線端末との間のリンクである。
【０１０３】
任意に、
第１のリンク上で発生しているリンク障害は、第１のリンクの第１のサブリンク上の障害、第１のリンクの第２のサブリンクのダウンリンク方向の障害、又は第１のリンクの第２のサブリンクのアップリンク方向の障害であり、
ダウンリンク方向は、アグリゲーション側スイッチ装置から第１の光回線端末にサービスデータが送信される方向であり、アップリンク方向は、第１の光回線端末からアグリゲーション側スイッチ装置にサービスデータが送信される方向である。
【０１０４】
任意に、第１のリンク上で発生しているリンク障害が第１のリンクの第２のサブリンクのダウンリンク方向の障害である場合、
モニタリングユニット２１は更に、第１のリンク上で発生しているリンク障害が第１のリンクの第２のサブリンクのダウンリンク方向の障害であるという情報を、モニタリングパケットから取得するように構成され、
スイッチユニット２３は更に、第２のリンクの第２のサブリンクと第１のリンクの第２のサブリンクとの間で、サービスデータ伝送を所定の頻度で切り換えるように構成され、スイッチユニット２３は、光ネットワークユニットが自動保護スイッチメッセージを受信した後に切換えを停止する。
【０１０５】
アグリゲーション側スイッチ装置は更に送信ユニット２４を備える。図１１に示されるように、送信ユニット２４は、スイッチユニット２３が第２のリンクの第２のサブリンクと第１のリンクの第２のサブリンクとの間でサービスデータ伝送を切り換えた後に、サービスデータが伝送されていないリンクを用いて光ネットワークユニットに自動保護スイッチメッセージを送信するように構成される。
【０１０６】
本発明の本実施形態はアグリゲーション側スイッチ装置を提供する。第２の光回線端末が伝送ポートを有効化した後、アグリゲーション側スイッチ装置は、光ネットワークユニットにより第２の管理終端ポイントを介して第２のリンク上で送信された自動保護スイッチメッセージを受信する。アグリゲーション側スイッチ装置は、自動保護スイッチメッセージを受信した後、第１のリンクの第２のサブリンクから第２のリンクの第２のサブリンクへの切換えを実行する。したがって、デバイス間のリンクの迅速なリンク切換えを実現するために、リンク切換機構が提供される。
【０１０７】
本発明の実施形態は更に光ネットワークユニット３を提供する。図１２に示されるように、光ネットワークユニット３は、バス３１、プロセッサ３２、メモリ３３及びインタフェース３４を備え、これらはバスによって接続される。インタフェース３４は、別のネットワークエレメントと通信するために用いられる。メモリ３３は命令３３１を記憶するために用いられる。プロセッサ３２は命令３３１を実行し、
第１の管理終端ポイントを介して、アグリゲーション側スイッチ装置に接続された第１のリンク上でモニタリングパケットを送信して、第１のリンクをモニタリングするように構成され、第１のリンクは、光ネットワークユニットと第１の光回線端末との間の第１のサブリンクと、第１の光回線端末とアグリゲーション側スイッチ装置との間の第２のサブリンクとを含み、且つ、
第１のリンク上にリンク障害が発生したと検出された場合に、第１のリンクの第１のサブリンクから第２のリンクの第１のサブリンクへの切換えを実行するように構成され、第２のリンクは、第１のリンク以外の、光ネットワークユニットとアグリゲーション側スイッチ装置との間のリンクであり、第２のリンクの第１のサブリンクは、光ネットワークユニットと第２の光回線端末との間のリンクであり、且つ、
第２の光回線端末に通知メッセージを送信するように構成され、通知メッセージは、第２の光回線端末が伝送ポートを有効化できるように、第２の光回線端末にリンク切換えの発生及び切換えの原因を通知するために用いられ、且つ、
第２の管理終端ポイントを介して第２のリンク上で、アグリゲーション側スイッチ装置に自動保護スイッチメッセージを送信するように構成され、自動保護スイッチメッセージは、自動保護スイッチメッセージの受信後にアグリゲーション側スイッチ装置が第１のリンクの第２のサブリンクから第２のリンクの第２のサブリンクへの切換えを実行できるように、アグリゲーション側スイッチ装置にリンク切換えの発生を通知するために用いられ、第２のリンクの第２のサブリンクは、アグリゲーション側スイッチ装置と第２の光回線端末との間のリンクである。
【０１０８】
任意に、
第１のリンク上で発生するリンク障害は、第１のリンクの第１のサブリンク上の障害、第１のリンクの第２のサブリンクのダウンリンク方向の障害、又は第１のリンクの第２のサブリンクのアップリンク方向の障害であり、
ダウンリンク方向は、アグリゲーション側スイッチ装置から第１の光回線端末にサービスデータが送信される方向であり、アップリンク方向は、第１の光回線端末からアグリゲーション側スイッチ装置にサービスデータが送信される方向である。
【０１０９】
任意に、プロセッサ３２は命令３３１を実行し、
第１のリンク上で発生しているリンク障害が第１のリンクの第１のサブリンクの障害であるか、又は第１のリンクの第２のサブリンクのダウンリンク方向の障害であるという情報を、モニタリングパケットから取得するように構成される。
【０１１０】
任意に、
第１のリンク上で発生しているリンク障害が第１のリンクの第１のサブリンクの障害である場合、通知メッセージは物理層運用保守管理メッセージである。
【０１１１】
任意に、プロセッサ３２は命令３３１を実行し、
第１の光回線端末に属性値変化通知を送信するように構成される。属性値変化通知は、第１の光回線端末にリンク切換えの発生と切換えの原因とを通知するために用いられる。
【０１１２】
任意に、プロセッサ３２は命令３３１を実行し、
光ネットワークユニットが、自動保護スイッチメッセージを受信した後に、モニタリングパケットを用いて第１のリンク上のリンク障害についての情報を取得できるように、アグリゲーション側スイッチ装置によって送信された自動保護スイッチメッセージを受信するように構成される。
【０１１３】
本発明の本実施形態は光ネットワークユニットを提供する。光ネットワークユニットは、第１の管理終端ポイントを介して、光ネットワークユニット及びアグリゲーション側スイッチ装置に接続された第１のリンク上でモニタリングパケットを送信して、第１のリンクをモニタリングする。第１のリンク上にリンク障害が発生したと検出された場合に、光ネットワークユニットが、第１のリンクの第１のサブリンクから第２のリンクの第１のサブリンクへの切換えを実行する。第２の光回線端末が伝送ポートを有効化できるように、光ネットワークユニットが、第２の光回線端末に通知メッセージを送信する。アグリゲーション側スイッチ装置が、自動保護スイッチメッセージを受信した後に、第１のリンクの第２のサブリンクから第２のリンクの第２のサブリンクへの切換えを実行できるように、光ネットワークユニットが、第２の管理終端ポイントを介して第２のリンク上で、アグリゲーション側スイッチ装置に自動保護スイッチメッセージを送信する。したがって、デバイス間のリンクの迅速なリンク切換えを実現するために、リンク切換機構が提供される。
【０１１４】
本発明の実施形態は更に、アグリゲーション側スイッチ装置４を提供する。図１３に示されるように、アグリゲーション側スイッチ装置４は、バス４１、プロセッサ４２、メモリ４３、及び、バスに接続されたインタフェース４４を備える。インタフェース４４は別のネットワークエレメントと接続するために用いられ、メモリ３３は命令４３１を記憶するために用いられる。プロセッサ４２は命令４３１１を実行し、
第１の管理終端ポイントを介して、光ネットワークユニットに接続された第１のリンク上でモニタリングパケットを送信して、第１のリンクをモニタリングするように構成され、第１のリンクは、光ネットワークユニットと第１の光回線端末との間の第１のサブリンクと、第１の光回線端末とアグリゲーション側スイッチ装置との間の第２のサブリンクとを含み、且つ、
光ネットワークユニットにより第２の管理終端ポイントを介して第２のリンク上で送信された自動保護スイッチメッセージを受信するように構成され、自動保護スイッチメッセージは、アグリゲーション側スイッチ装置にリンク切換えの発生を通知するために用いられ、且つ、
自動保護スイッチメッセージが受信された後に、第１のリンクの第２のサブリンクから第２のリンクの第２のサブリンクへの切換えを実行するように構成され、第２のリンクの第２のサブリンクは、アグリゲーション側スイッチ装置と第２の光回線端末との間のリンクである。
【０１１５】
任意に、
第１のリンク上で発生するリンク障害は、第１のリンクの第１のサブリンク上の障害、第１のリンクの第２のサブリンクのダウンリンク方向の障害、又は第１のリンクの第２のサブリンクのアップリンク方向の障害であり、
ダウンリンク方向は、アグリゲーション側スイッチ装置から第１の光回線端末にサービスデータが送信される方向であり、アップリンク方向は、第１の光回線端末からアグリゲーション側スイッチ装置にサービスデータが送信される方向である。
【０１１６】
任意に、プロセッサ４２は命令４３１１を実行し、
モニタリングパケットから、第１のリンク上で発生しているリンク障害が第１のリンクの第２のサブリンクのダウンリンク方向の障害であるという情報を取得するように構成され、且つ、
第２のリンクの第２のサブリンクと第１のリンクの第２のサブリンクとの間で、サービスデータ伝送を所定の頻度で繰り返し切り換え、光ネットワークユニットが自動保護スイッチメッセージを受信した後に切換えを停止するように構成され、且つ、
第２のリンクの第２のサブリンクと第１のリンクの第２のサブリンクとの間でサービスデータ伝送を切り換えた後、サービスデータが伝送されていないリンクを用いて光ネットワークユニットに自動保護スイッチメッセージを送信するように構成される。
【０１１７】
本発明の本実施形態はアグリゲーション側スイッチ装置を提供する。第２の光回線端末が伝送ポートを有効化した後、アグリゲーション側スイッチ装置は、光ネットワークユニットにより第２の管理終端ポイントを介して第２のリンク上で送信された自動保護スイッチメッセージを受信する。アグリゲーション側スイッチ装置は、自動保護スイッチメッセージを受信した後、第１のリンクの第２のサブリンクから第２のリンクの第２のサブリンクへの切換えを実行する。したがって、デバイス間のリンクの迅速なリンク切換えを実現するために、リンク切換機構が提供される。
【０１１８】
本願によって提供されるいくつかの実施形態では、開示された方法及び電子デバイスが別の方式で実施されてよいことが理解されるべきである。例えば、説明した装置の実施形態は単なる例示である。例えば、ユニット分割は論理的な機能分割に過ぎず、実際の実装では他の分割であってよい。例えば、複数のユニット又はコンポーネントが別のシステムに組み合わせ又は統合されてよく、或いは、一部の機能が省略されてよく、又は実行されなくてよい。更に、図示又は議論される相互結合又は直接結合若しくは通信接続は、いくつかのインタフェースを介して実装されてよい。装置間又はユニット間の間接的な結合又は通信接続は、電子的、機械的その他の形式で実現されてよい。
【０１１９】
別々の要素として説明されたユニットは物理的に分離してもしなくてもよく、ユニットとして表された要素は物理的なユニットであってもなくてもよく、１つの位置に配置されても、複数のネットワークユニットに分散されてもよい。ユニットの一部又は全部は、実施形態の解決策の目的を達成するために、実際の要件に応じて選択されてよい。
【０１２０】
更に、本発明の実施形態における機能ユニットは、１つの処理ユニットに統合されてよく、或いは、ユニットの各々は物理的に単独で存在してよく、或いは、２以上のユニットが１つのユニットに統合される。統合ユニットはハードウェアの形式で実装されてよく、或いは、ソフトウェア機能ユニットに加えてハードウェアの形式で実装されてよい。
【０１２１】
前述の統合ユニットがソフトウェア機能ユニットの形式で実装される場合、統合ユニットはコンピュータ可読記憶媒体に記憶されてよい。ソフトウェア機能ユニットは記憶媒体に格納されてよく、コンピュータ装置（パーソナルコンピュータ、サーバ又はネットワーク装置であってよい）に本発明の実施形態で説明された方法のステップの一部を実行するように指示するための命令を含む。前述の記憶媒体は、USBフラッシュドライブ、リムーバブルハードディスク、読み出し専用メモリ（略称ROM）、ランダムアクセスメモリ（略称RAM）、磁気ディスク、光ディスク等、プログラムコードを記憶することができる任意の媒体を含む。
【０１２２】
以上の説明は、本発明の具体的な実施方式に過ぎず、本発明の保護範囲を限定するものではない。当業者が本発明において開示された技術的範囲内で容易に把握し得る任意の変形又は置換は、本発明の保護範囲内に包含されるものとする。したがって、本発明の保護範囲は、特許請求の範囲の保護範囲に従うものとする。
【図１】
0006379213.tif 000002
【図２】
0006379213.tif 000003
【図３】
0006379213.tif 000004
【図４】
0006379213.tif 000005
【図５】
0006379213.tif 000006
【図６】
0006379213.tif 000007
【図７】
0006379213.tif 000008
【図８】
0006379213.tif 000009
【図９】
0006379213.tif 000010
【図１０】
0006379213.tif 000011
【図１１】
0006379213.tif 000012
【図１２】
0006379213.tif 000013
【図１３】
0006379213.tif 000014